【事件の表示】
　特願２０１６−９２８０５号「遊技機」拒絶査定不服審判事件〔平成２８年７月２８日出願公開、特開２０１６−１３５４４２号〕について、次のとおり審決する。
【結　論】
　本件審判の請求は、成り立たない。
【理　由】
第１　手続の経緯 
　本願は、平成２６年３月１９日に出願した特願２０１４−５６６７４号の一部を平成２８年５月２日に新たな特許出願（特願２０１６−９２８０５号）としたものであって、平成２９年２月２４日に手続補正書が提出され、同年９月２７日付けで拒絶の理由が通知され、同年１１月２２日に意見書及び手続補正書が提出され、平成３０年４月５日付けで最後の拒絶の理由が通知され、同年６月１日に意見書及び手続補正書が提出されたところ、同年１１月５日付けで、同年６月１日付け手続補正が却下されるとともに拒絶査定（謄本の送達日：同年１１月１３日。）がなされ、それに対して、平成３１年２月７日に拒絶査定不服審判の請求がなされると同時に手続補正がなされ、これに対し、当審において、令和１年６月２７日付けで拒絶の理由（以下、「当審拒絶理由」という。）が通知され、同年８月２３日に意見書及び手続補正書が提出されたものである。
第２　本願発明
　本願の請求項１に係る発明（以下「本願発明」という。）は、令和１年８月２３日付け手続補正書における特許請求の範囲の請求項１に記載された事項により特定される次のとおりのものであると認める（記号Ａ〜Ｆは、本願発明を分説するために当審にて付した）。
　「【請求項１】
Ａ　始動条件の成立により判定を行うとともに図柄の変動を行い、所定の図柄の組み合わせが表示された場合に遊技利益を付与する遊技機において、
Ｂ　画像を表示する表示画面を有する表示装置と、
Ｃ　第１位置と、前記表示画面に沿った第２位置と、に移動可能であると共に、第１態様、前記第１態様とは視認態様が異なる第２態様、および前記第１態様と前記第２態様とは視認態様が異なる第３態様となるように変化可能な第１装飾部材と、
Ｄ　一つの前記第１装飾部材に対して第１の状態から前記第１の状態と異なる第２の状態となるように変位可能に設けられる複数の第２装飾部材と、を備え、
Ｄ１　前記第１の状態は、
　前記第１位置において複数の前記第２装飾部材より前に前記第１装飾部材が配置されることにより、前記第２装飾部材が露出するのを抑制した視認状態であり、
Ｄ２　前記第２の状態は、
　前記第２位置において複数の前記第２装飾部材が移動することにより、前記第１装飾部材から前記第２装飾部材が露出した視認状態であり、
Ｅ　前記第２装飾部材は、
Ｅ１　前記第１装飾部材が前記第１位置から前記第２位置へ移動すると共に前記第１態様から前記第２態様に変化する第１演出を実行する場合には、前記第１の状態から前記第２の状態に変位しないように構成されており、
Ｅ２　前記第１装飾部材が前記第１位置から前記第２位置へ移動すると共に前記第１態様から前記第３態様に変化する前記第１演出とは異なる第２演出を実行する場合には、前記第１の状態から前記第２の状態に変位可能に構成されていることを特徴とする
Ｆ　遊技機。」
第３　当審拒絶理由の概要 
　当審拒絶理由は、平成３１年２月７日付け手続補正書により補正された本願の請求項１に係る発明は、その出願前に日本国内又は外国において頒布された又は電気通信回線を通じて公衆に利用可能となった以下の引用文献１に記載された発明に基づいて、その出願前にその発明の属する技術の分野における通常の知識を有する者が容易に発明をすることができたものであるから、特許法第２９条第２項の規定により特許を受けることができない、との理由を含むものである。 
引用文献１：特開２０１３−２０８３０８号公報
第４　引用文献の記載及び引用発明
１　引用文献１の記載事項
　当審拒絶理由に引用された上記引用文献１には、図面と共に以下の事項が記載されている（下線は当審にて付した。以下同じ）。 
（ア）「【００１０】
　・・・図１は本発明の実施形態に係る遊技機の一例としての
パチンコ遊技機
（イ）「【００２１】
　また、遊技領域３の中央には開口部３Ａが形成されており、開口部３Ａの周縁に沿って遊技球の流下に影響を与える飾り部材６が設けられている。この飾り部材６の略中央部分（開放部）であって
遊技盤の背面側には、
メイン画像表示装置７が設けられている。
【００２２】
　この
メイン画像表示装置７は、
遊技の進行に応じた画像を表示したりする。
特定の演出図柄８の組合せ
が停止表示されることにより、大当たり抽選結果として大当たりが報知される。
　具体的には、
第１始動口１３又は第２始動口１４に遊技球が入球したときには、３個の演出図柄８をそれぞれスクロール表示するとともに、所定時間経過後に当該スクロールを停止させて、演出図柄８を停止表示する
（ウ）「【００２７】
　ここで、
「大当たり抽選」とは、第１始動口１３又は第２始動口１４に遊技球が入球したときに、特別図柄判定用乱数値を取得し、取得した特別図柄判定用乱数値が「大当たり」に対応する乱数値であるか
判定する処理をいう。
【００２８】
　また、本実施形態において
「大当たり」というのは、
大当たりの抽選において、大当たり遊技を実行する権利を獲得したことをいう。
（エ）「【００３３】
　図１、図２において、飾り部材６の内側に露出した
メイン画像表示装置７のメイン表示画面
７ａの前部下方には、第１の演出用可動装置Ａが配置され、
【００３５】
　図８乃至図２０に示すように、
第１の演出用可動装置Ａは、サブ画像表示装置３０、動作機構６０を主構成要素としている。
　即ち、
メイン画像表示装置７の前面にあるメイン表示画面７ａ
サブ画像表示装置３０は、動作機構
６０によって
下降位置
と
上昇位置
との間を進退自在に構成されている。
【００３６】
　
サブ画像表示装置３０は、表示装置基部３３と、表示装置基部３３の前面に配置された
表示画面
３１と、表示装置基部３３の後面に配置された
役物演出部５０と、を備えている。
　
表示装置基部３３は、
回転
自在に構成されており、サブ表示画面３１と役物演出部５０を交互に前面側に方向転換して遊技者に視認させるように構成されている。
【００３８】
　連結部材４５により回動自在に保持された各ホルダ部材４０、及び
サブ画像表示装置３０は、動作機構６０によって
メイン画像表示装置７の前面のメイン表示画面７ａに沿って
進退する
（オ）「【００５２】
　
役物演出部５０は、
２個の
従動ギヤ５３と、各従動ギヤ５３と一体化されて突出する
可動部
５４と、を有している。
【００５３】
　
各可動部５４は、各従動ギヤ５３の回動によって表示装置基部背面に隠蔽された隠蔽位置
と、該背面から側方に突出した突出位置
との間を揺動する。
（カ）「【０１２０】
　図４５、図４６は、本実施形態の遊技機における遊技演出の一例を示した図である。
　本実施形態の遊技機１では、例えば図４５（ａ）〜（ｃ）に示すようにメイン表示画面７ａに表示されている変動中の演出図柄８のうち、第１図柄８ａと第３図柄８ｂが同一図柄（例えば「７」）で停止してリーチ状態に移行したときに、図４６に示すような遊技演出に移行するように構成されている。
　また、図４５（ａ）〜（ｃ）に示すような
演出図柄８がリーチ状態に移行するまでの図柄変動期間では、メイン表示画面７ａの前部下方に配置されている第１の演出用可動装置Ａ
【０１２１】
　
リーチ状態に移行後は、
　先ず、第１の演出用可動装置Ａの動作について説明する。
　第１の演出用可動装置Ａは、図４６（ａ）に示すように、斜め上方に約４５度の角度で傾斜した状態で停止していたサブ表示画面３１を横長状態のまま垂直姿勢となるように可動する。
　次に、
第１の演出用可動装置Ａは、
横長状態
のサブ画像表示装置３０を上昇させ、上昇位置においてサブ画像表示装置３０を
９０度回転させて、
サブ画像表示装置３０が縦姿勢とな
るように可動する。
【０１２２】
　
次に、第１の演出用可動装置Ａは、
縦姿勢にあるサブ画像表示装置３０の表裏が反転するように１８０度回転させて、
サブ表示画面３１の裏面側に設けられている
「役物演出部５０」
が前面側となるように可動する。
　
次に、第１の演出用可動装置Ａは、
役物演出部５０の背面側
に隠蔽されていた可動部５４を役物演出部５０の両側から側方に突出させるように可動する。
（キ）図４５
　
　上記【００３５】の「第１の演出用可動装置Ａは、サブ画像表示装置３０、動作機構６０を主構成要素としている。・・・サブ画像表示装置３０は、動作機構・・・６０によって・・・下降位置・・・と・・・上昇位置・・・との間を進退自在に構成されている。」との記載、上記【０１２０】の「演出図柄８がリーチ状態に移行するまでの図柄変動期間では、メイン表示画面７ａの前部下方に配置されている第１の演出用可動装置Ａ」との記載を参酌すると、図４５には、
演出図柄８がリーチ状態に移行するまでの図柄変動期間では、第１の演出用可動装置Ａを構成するサブ画像表示装置３０は、下降位置に位置している
　また、上記【００３５】及び上記【０１２０】の上記記載に加えて、上記【００５３】の「各可動部５４は、各従動ギヤ５３の回動によって表示装置基部背面に隠蔽された隠蔽位置・・・と、該背面から側方に突出した突出位置・・・との間を揺動する。」との記載、上記【０１２２】の「役物演出部５０の背面側・・・に隠蔽されていた可動部５４」との記載を参酌すると、図４５には、
サブ画像表示装置３０が下降位置に位置している状態で、各可動部５４は、表示装置基部背面に隠蔽された隠蔽位置にある
（ク）図４６
　
　上記【００５３】の「各可動部５４は、各従動ギヤ５３の回動によって表示装置基部背面に隠蔽された隠蔽位置・・・と、該背面から側方に突出した突出位置・・・との間を揺動する。」との記載、上記【０１２１】の「リーチ状態に移行後は、・・・第１の演出用可動装置Ａは、・・・横長状態・・・のサブ画像表示装置３０を上昇させ、上昇位置においてサブ画像表示装置３０を・・・９０度回転させて、・・・サブ画像表示装置３０が縦姿勢とな・・・るように可動する。」との記載、上記【０１２２】の「次に、第１の演出用可動装置Ａは、・・・縦姿勢にあるサブ画像表示装置３０の表裏が反転するように１８０度回転させて、・・・サブ表示画面３１の裏面側に設けられている役物演出部５０が前面側となるように可動する。・・・次に、第１の演出用可動装置Ａは、・・・役物演出部５０の背面側・・・に隠蔽されていた可動部５４を役物演出部５０の両側から側方に突出させるように可動する。」との記載を参酌すると、図４６には、
サブ画像表示装置３０が上昇位置に位置している状態で、各可動部５４は、表示装置基部背面に隠蔽された隠蔽位置から該背面から側方に突出した突出位置へと揺動する
　また、上記【０１２１】の「第１の演出用可動装置Ａは、・・・横長状態・・・のサブ画像表示装置３０を上昇させ、上昇位置においてサブ画像表示装置３０を・・・９０度回転させて、・・・サブ画像表示装置３０が縦姿勢とな・・・るように可動する。」との記載、上記【０１２２】の「次に、第１の演出用可動装置Ａは、・・・縦姿勢にあるサブ画像表示装置３０の表裏が反転するように１８０度回転させて、・・・サブ表示画面３１の裏面側に設けられている役物演出部５０が前面側となるように可動する。」との記載を参酌すると、図４６（ａ）、（ｂ）には、
第１の演出用可動装置Ａが、横長状態のサブ画像表示装置３０を上昇させ、上昇位置においてサブ画像表示装置３０を９０度回転させて、サブ画像表示装置３０が縦姿勢となるまでの間、サブ画像表示装置３０は、サブ表示画面３１が前面側となる状態にある
　上記記載事項（ア）〜（カ）及び上記図示内容（キ）〜（ク）より、以下の事項が導かれる。
　なお、（ａ）〜（ｆ）は、本願発明の構成Ａ〜Ｆに対応した事項を示している。 
（ａ）上記【００２２】には「メイン画像表示装置７は、・・・特定の演出図柄８の組合せ・・・が停止表示されることにより、大当たり抽選結果として大当たりが報知される。・・・第１始動口１３又は第２始動口１４に遊技球が入球したときには、３個の演出図柄８をそれぞれスクロール表示するとともに、所定時間経過後に当該スクロールを停止させて、演出図柄８を停止表示する」と記載され、上記【００２７】には「「大当たり抽選」とは、第１始動口１３又は第２始動口１４に遊技球が入球したときに、特別図柄判定用乱数値を取得し、取得した特別図柄判定用乱数値が「大当たり」に対応する乱数値であるか・・・判定する処理をいう。」と記載され、上記【００２８】には「「大当たり」というのは、・・・大当たりの抽選において、大当たり遊技を実行する権利を獲得したことをいう。・・・」と記載され、上記【００１０】には「パチンコ遊技機」と記載されているから、引用文献１には、
第１始動口１３又は第２始動口１４に遊技球が入球したときに、取得した特別図柄判定用乱数値が「大当たり」に対応する乱数値であるか判定する大当たり抽選を行うとともに、メイン画像表示装置７は、３個の演出図柄８をそれぞれスクロール表示し、所定時間経過後に当該スクロールを停止させて、演出図柄８を停止表示し、特定の演出図柄８の組合せが停止表示されることにより、大当たり抽選結果として大当たりが報知されると、大当たり遊技を実行するパチンコ遊技機
（ｂ）上記【００２１】には「遊技盤の背面側には、・・・メイン画像表示装置７が設けられている。」と記載され、上記【００２２】には「メイン画像表示装置７は、・・・遊技の進行に応じた画像を表示したりする。」と記載され、上記【００３５】には「メイン画像表示装置７の前面にあるメイン表示画面７ａ」と記載されているから、引用文献１には、
遊技盤の背面側には、前面にあるメイン表示画面７ａに遊技の進行に応じた画像を表示するメイン画像表示装置７が設けられ
（ｃ）上記【００３３】には「メイン画像表示装置７のメイン表示画面・・・７ａの前部下方には、第１の演出用可動装置Ａが配置され、」と記載され、上記【００３５】には「第１の演出用可動装置Ａは、サブ画像表示装置３０、動作機構６０を主構成要素としている。・・・サブ画像表示装置３０は、動作機構・・・６０によって・・・下降位置・・・と・・・上昇位置・・・との間を進退自在に構成されている。」と記載され、上記【００３８】には「サブ画像表示装置３０は、動作機構６０によって・・・メイン表示画面７ａに沿って・・・進退する」と記載され、上記【００３６】には「サブ画像表示装置３０は、表示装置基部３３と、表示装置基部３３の前面に配置された・・・表示画面・・・３１と、表示装置基部３３の後面に配置された・・・役物演出部５０と、を備えている。・・・表示装置基部３３は、・・・回転・・・自在に構成されており、サブ表示画面３１と役物演出部５０を交互に前面側に方向転換して遊技者に視認させるように構成されている。」と記載され、上記【０１２１】には「第１の演出用可動装置Ａは、・・・横長状態・・・のサブ画像表示装置３０を上昇させ、上昇位置においてサブ画像表示装置３０を・・・９０度回転させて、・・・サブ画像表示装置３０が縦姿勢とな・・・るように可動する。」と記載されているから、引用文献１には、
メイン画像表示装置７のメイン表示画面７ａの前部下方に配置された第１の演出用可動装置Ａは、サブ画像表示装置３０、動作機構６０を主構成要素とし、サブ画像表示装置３０は、動作機構６０によってメイン表示画面７ａに沿って下降位置と上昇位置との間を進退自在に構成され、第１の演出用可動装置Ａは、横長状態のサブ画像表示装置３０を上昇させ、上昇位置においてサブ画像表示装置３０を９０度回転させて、サブ画像表示装置３０が縦姿勢となるように可動し、サブ画像表示装置３０は、表示装置基部３３と、表示装置基部３３の前面に配置されたサブ表示画面３１と、表示装置基部３３の後面に配置された役物演出部５０とを備え、表示装置基部３３は、サブ表示画面３１と役物演出部５０を交互に前面側に方向転換して遊技者に視認させるように回転自在に構成され
（ｄ、ｄ１、ｄ２）上記【００５２】には「役物演出部５０は、・・・２個の・・・従動ギヤ５３と、各従動ギヤ５３と一体化されて突出する・・・可動部・・・５４と、を有している。」と記載され、上記【００５３】には「各可動部５４は、各従動ギヤ５３の回動によって表示装置基部背面に隠蔽された隠蔽位置・・・と、該背面から側方に突出した突出位置・・・との間を揺動する。」と記載され、図４５には、サブ画像表示装置３０が下降位置に位置している状態で、各可動部５４は、表示装置基部背面に隠蔽された隠蔽位置にある点が図示され、図４６には、サブ画像表示装置３０が上昇位置に位置している状態で、各可動部５４は、表示装置基部背面に隠蔽された隠蔽位置から該背面から側方に突出した突出位置へと揺動する点が図示されているから、引用文献１には、
役物演出部５０は、２個の従動ギヤ５３と、各従動ギヤ５３と一体化されて突出する可動部５４とを有し、各可動部５４は、各従動ギヤ５３の回動によって表示装置基部背面に隠蔽された隠蔽位置と、該背面から側方に突出した突出位置との間を揺動し、サブ画像表示装置３０が下降位置に位置している状態で、各可動部５４は隠蔽位置にあり、サブ画像表示装置３０が上昇位置に位置している状態で、各可動部５４は隠蔽位置から突出位置へと揺動するように構成され
（ｅ、ｅ１、ｅ２）上記【０１２０】には「演出図柄８がリーチ状態に移行するまでの図柄変動期間では、メイン表示画面７ａの前部下方に配置されている第１の演出用可動装置Ａ」と記載され、上記【０１２１】には「リーチ状態に移行後は、・・・第１の演出用可動装置Ａは、・・・横長状態・・・のサブ画像表示装置３０を上昇させ、上昇位置においてサブ画像表示装置３０を・・・９０度回転させて、・・・サブ画像表示装置３０が縦姿勢とな・・・るように可動する。」と記載され、上記【０１２２】には「次に、第１の演出用可動装置Ａは、・・・縦姿勢にあるサブ画像表示装置３０の表裏が反転するように１８０度回転させて、・・・サブ表示画面３１の裏面側に設けられている役物演出部５０が前面側となるように可動する。・・・次に、第１の演出用可動装置Ａは、・・・役物演出部５０の背面側・・・に隠蔽されていた可動部５４を役物演出部５０の両側から側方に突出させるように可動する。」と記載され、図４５には、演出図柄８がリーチ状態に移行するまでの図柄変動期間では、第１の演出用可動装置Ａを構成するサブ画像表示装置３０は、下降位置に位置している点が図示され、図４６（ａ）、（ｂ）には、第１の演出用可動装置Ａが、横長状態のサブ画像表示装置３０を上昇させ、上昇位置においてサブ画像表示装置３０を９０度回転させて、サブ画像表示装置３０が縦姿勢となるまでの間、サブ画像表示装置３０は、サブ表示画面３１が前面側となる状態にある点が図示されているから、引用文献１には、
演出図柄８がリーチ状態に移行するまでの図柄変動期間では、第１の演出用可動装置Ａを構成するサブ画像表示装置３０は下降位置に位置しており、リーチ状態に移行後は、第１の演出用可動装置Ａは、横長状態でサブ表示画面３１が前面側となる状態のサブ画像表示装置３０を上昇させ、上昇位置においてサブ画像表示装置３０を９０度回転させて、サブ画像表示装置３０が縦姿勢でサブ表示画面３１が前面側となるように可動し、次に、縦姿勢にあるサブ画像表示装置３０の表裏が反転するように１８０度回転させて、サブ表示画面３１の裏面側に設けられている役物演出部５０が前面側となるように可動し、次に、役物演出部５０の背面側に隠蔽されていた可動部５４を役物演出部５０の両側から側方に突出させるように可動する
（ｆ）上記【００１０】には「パチンコ遊技機」と記載されている。
２　引用発明
　上記記載事項（ア）〜（カ）、上記図示内容（キ）〜（ク）及び上記（ａ）〜（ｆ）の認定事項から、引用文献１には、次の発明（以下、「引用発明」という。）が記載されていると認められる（記号ａ〜ｆは、引用発明を分説するために当審にて付した）。 
（引用発明） 
　「ａ　第１始動口１３又は第２始動口１４に遊技球が入球したときに、取得した特別図柄判定用乱数値が「大当たり」に対応する乱数値であるか判定する大当たり抽選を行うとともに、メイン画像表示装置７は、３個の演出図柄８をそれぞれスクロール表示し、所定時間経過後に当該スクロールを停止させて、演出図柄８を停止表示し、特定の演出図柄８の組合せが停止表示されることにより、大当たり抽選結果として大当たりが報知されると、大当たり遊技を実行するパチンコ遊技機であって、
ｂ　遊技盤の背面側には、前面にあるメイン表示画面７ａに遊技の進行に応じた画像を表示するメイン画像表示装置７が設けられ、
ｃ　メイン画像表示装置７のメイン表示画面７ａの前部下方に配置された第１の演出用可動装置Ａは、サブ画像表示装置３０、動作機構６０を主構成要素とし、サブ画像表示装置３０は、動作機構６０によってメイン表示画面７ａに沿って下降位置と上昇位置との間を進退自在に構成され、第１の演出用可動装置Ａは、横長状態のサブ画像表示装置３０を上昇させ、上昇位置においてサブ画像表示装置３０を９０度回転させて、サブ画像表示装置３０が縦姿勢となるように可動し、サブ画像表示装置３０は、表示装置基部３３と、表示装置基部３３の前面に配置されたサブ表示画面３１と、表示装置基部３３の後面に配置された役物演出部５０とを備え、表示装置基部３３は、サブ表示画面３１と役物演出部５０を交互に前面側に方向転換して遊技者に視認させるように回転自在に構成され、
ｄ、ｄ１、ｄ２　役物演出部５０は、２個の従動ギヤ５３と、各従動ギヤ５３と一体化されて突出する可動部５４とを有し、各可動部５４は、各従動ギヤ５３の回動によって表示装置基部背面に隠蔽された隠蔽位置と、該背面から側方に突出した突出位置との間を揺動し、サブ画像表示装置３０が下降位置に位置している状態で、各可動部５４は隠蔽位置にあり、サブ画像表示装置３０が上昇位置に位置している状態で、各可動部５４は隠蔽位置から突出位置へと揺動するように構成され、
ｅ、ｅ１、ｅ２　演出図柄８がリーチ状態に移行するまでの図柄変動期間では、第１の演出用可動装置Ａを構成するサブ画像表示装置３０は下降位置に位置しており、リーチ状態に移行後は、第１の演出用可動装置Ａは、横長状態でサブ表示画面３１が前面側となる状態のサブ画像表示装置３０を上昇させ、上昇位置においてサブ画像表示装置３０を９０度回転させて、サブ画像表示装置３０が縦姿勢でサブ表示画面３１が前面側となるように可動し、次に、縦姿勢にあるサブ画像表示装置３０の表裏が反転するように１８０度回転させて、サブ表示画面３１の裏面側に設けられている役物演出部５０が前面側となるように可動し、次に、役物演出部５０の背面側に隠蔽されていた可動部５４を役物演出部５０の両側から側方に突出させるように可動する
ｆ　パチンコ遊技機。」
第５　対比
　本願発明と引用発明とを、分説に従い対比する。
（ａ）引用発明の構成ａの「第１始動口１３又は第２始動口１４に遊技球が入球した」ことは、本願発明の構成Ａの「始動条件の成立」に相当し、以下同様に、「取得した特別図柄判定用乱数値が「大当たり」に対応する乱数値であるか判定する大当たり抽選」は、「判定」に、「３個の演出図柄８」の「スクロール表示」は、「図柄の変動」に、「特定の演出図柄８の組合せが停止表示される」ことは、「所定の図柄の組み合わせが表示され」ることに、「大当たり遊技を実行する」ことは、「遊技利益を付与する」ことに、「パチンコ遊技機」は「遊技機」に、それぞれ相当する。 
　してみると、引用発明の構成ａは、本願発明の構成Ａに相当するものである。
（ｂ）引用発明の構成ｂの「遊技の進行に応じた画像」、「メイン表示画面７ａ」、「メイン画像表示装置７」は、それぞれ、本願発明の構成Ｂの「画像」、「表示画面」、「表示装置」に相当する。 
　してみると、引用発明の構成ｂは、本願発明の構成Ｂに相当するものである。
（ｃ）引用発明の構成ｃの「第１の演出用可動装置Ａ」の「主構成要素」である「サブ画像表示装置３０」は、本願発明の構成Ｃの「第１装飾部材」に相当し、以下同様に、「下降位置」は、「第１位置」に、「上昇位置」は、「第２位置」に、「下降位置と上昇位置との間を進退自在に構成され」ることは、「第１位置と、」「第２位置と、に移動可能である」ことに、それぞれ相当する。
　ここで、引用発明の構成ｃの「サブ画像表示装置３０」は、「メイン表示画面７ａに沿って下降位置と上昇位置との間を進退自在に構成され」ていることから、引用発明の構成ｃの「上昇位置」は、本願発明の構成Ｃの「表示画面に沿った第２位置」に相当する。
　また、引用発明の構成ｃにおける「サブ画像表示装置３０」が「横長状態」で「サブ表示画面３１」を「前面側に」「して遊技者に視認させる」状態は、本願発明の構成Ｃの「第１態様」に相当し、以下同様に、「サブ画像表示装置３０」が「縦姿勢」で「サブ表示画面３１」を「前面側に」「して遊技者に視認させる」状態は、「前記第１態様とは視認態様が異なる第２態様」に、「サブ画像表示装置３０」が「縦姿勢」で「役物演出部５０を」「前面側に」「して遊技者に視認させる」状態は、「前記第１態様と前記第２態様とは視認態様が異なる第３態様」に、それぞれ相当する。
　そして、引用発明の構成ｃにおける「横長状態のサブ画像表示装置３０」が「９０度回転」して「縦姿勢となるように可動」すること、及び、「サブ画像表示装置３０」が「備え」る「表示装置基部３３は、サブ表示画面３１と役物演出部５０を交互に前面側に方向転換して遊技者に視認させるように回転自在に構成され」ることは、本願発明の構成Ｃの「第１態様、」「第２態様、および」「第３態様となるように変化可能な第１装飾部材」であることに相当する。
　してみると、引用発明の構成ｃは、本願発明の構成Ｃに相当するものである。
（ｄ）引用発明の構成ｄ、ｄ１、ｄ２の「役物演出部５０は、２個の従動ギヤ５３と、各従動ギヤ５３と一体化されて突出する可動部５４とを有し」ており、引用発明の「役物演出部５０」は、「サブ画像表示装置３０」が「備え」るものであり（構成ｃ）、引用発明の「サブ画像表示装置３０」が、本願発明の構成Ｄの「前記第１装飾部材」に相当することは、上記（ｃ）にて説示したとおりであるから、引用発明の構成ｄ、ｄ１、ｄ２の「役物演出部５０」が「有し」ている「可動部５４」は、本願発明の構成Ｄの「一つの前記第１装飾部材に対して」「設けられる複数の第２装飾部材」に相当する。
　また、引用発明の構成ｄ、ｄ１、ｄ２の「各可動部５４」が、「表示装置基部背面に隠蔽された隠蔽位置」にある状態は、本願発明の構成Ｄの「第１の状態」に相当し、以下同様に、「各可動部５４」が「表示装置基部」「背面から側方に突出した突出位置」にある状態は、「第１の状態と異なる第２の状態」に、「各可動部５４は、」「隠蔽位置と」「突出位置との間を揺動」することは、「第１の状態から前記第１の状態と異なる第２の状態となるように変位可能」であることに、それぞれ相当する。
　してみると、引用発明の構成ｄ、ｄ１、ｄ２は、本願発明の構成Ｄに相当する構成を具備している。
（ｄ１、ｄ２）引用発明の構成ｄ、ｄ１、ｄ２の「可動部」が、本願発明の構成Ｄ１、Ｄ２の「複数の前記第２装飾部材」に相当することは、上記（ｄ）にて説示したとおりであり、引用発明の「表示装置基部」は、「サブ画像表示装置３０」が「備え」るものであり（構成ｃ）、引用発明の「サブ画像表示装置３０」が、本願発明の構成Ｄ１、Ｄ２の「前記第１装飾部材」に相当することは、上記（ｃ）にて説示したとおりであるから、引用発明の構成ｄ、ｄ１、ｄ２の「各可動部５４」が、「表示装置基部背面に隠蔽された隠蔽位置」にある状態は、本願発明の構成Ｄ１の「複数の前記第２装飾部材より前に前記第１装飾部材が配置されることにより、前記第２装飾部材が露出するのを抑制した視認状態」に相当し、同様に、「各可動部５４」が、「揺動し」て「表示装置基部」「背面から側方に突出した突出位置」にある状態は、本願発明の構成Ｄ２の「複数の前記第２装飾部材が移動することにより、前記第１装飾部材から前記第２装飾部材が露出した視認状態」に相当する。
　また、引用発明における「サブ画像表示装置３０」の「下降位置」及び「上昇位置」が、それぞれ、本願発明の構成Ｄ１の「前記第１位置」及び構成Ｄ２の「前記第２位置」に相当することは、上記（ｃ）にて説示したとおりであるから、引用発明の構成ｄ、ｄ１、ｄ２の「サブ画像表示装置３０が下降位置に位置している状態で、各可動部５４は」「表示装置基部背面に隠蔽された」「隠蔽位置にあ」る状態は、本願発明の構成Ｄ１の「前記第１位置において複数の前記第２装飾部材より前に前記第１装飾部材が配置されることにより、前記第２装飾部材が露出するのを抑制した視認状態」に相当し、同様に、「サブ画像表示装置３０が上昇位置に位置している状態で、各可動部５４は隠蔽位置から突出位置へと揺動する」ことにより、「各可動部５４」が、「表示装置基部」「背面から側方に突出した突出位置」にある状態は、本願発明の構成Ｄ２の「前記第２位置において複数の前記第２装飾部材が移動することにより、前記第１装飾部材から前記第２装飾部材が露出した視認状態」に相当する。
　さらに、引用発明の構成ｄ、ｄ１、ｄ２の「各可動部５４」が、「表示装置基部背面に隠蔽された隠蔽位置」にある状態、及び、「各可動部５４」が、「表示装置基部」「背面から側方に突出した突出位置」にある状態が、それぞれ、本願発明の構成Ｄ１の「前記第１の状態」及び構成Ｄ２の「前記第２の状態」に相当することは、上記（ｄ）にて説示したとおりである。
　してみると、引用発明の構成ｄ、ｄ１、ｄ２は、本願発明の構成Ｄ１、Ｄ２の「前記第１の状態は、前記第１位置において複数の前記第２装飾部材より前に前記第１装飾部材が配置されることにより、前記第２装飾部材が露出するのを抑制した視認状態であり、前記第２の状態は、前記第２位置において複数の前記第２装飾部材が移動することにより、前記第１装飾部材から前記第２装飾部材が露出した視認状態であ」ることに相当する構成を具備している。
（ｅ、ｅ１）引用発明の構成ｅ、ｅ１、ｅ２の「サブ画像表示装置３０」が、本願発明の構成Ｅ１の「前記第１装飾部材」に相当し、以下同様に、「下降位置」が、「前記第１位置」に、「上昇位置」が、「前記第２位置」に、「サブ画像表示装置３０」が「横長状態でサブ表示画面３１が前面側となる状態」が、「前記第１態様」に、「サブ画像表示装置３０が縦姿勢でサブ表示画面３１が前面側となる」状態が、「前記第２態様」に、それぞれ相当することは、上記（ｃ）にて説示したとおりであるから、引用発明の構成ｅ、ｅ１、ｅ２において、「下降位置に位置して」いた「横長状態でサブ表示画面３１が前面側となる状態のサブ画像表示装置３０を上昇させ、上昇位置においてサブ画像表示装置３０を９０度回転させて、サブ画像表示装置３０が縦姿勢でサブ表示画面３１が前面側となるように可動」することは、本願発明の構成Ｅ１の「前記第１装飾部材が前記第１位置から前記第２位置へ移動すると共に前記第１態様から前記第２態様に変化する第１演出を実行する」ことに相当する。 
　そうすると、引用発明の構成ｅ、ｅ１、ｅ２は、「前記第１装飾部材が前記第１位置から前記第２位置へ移動すると共に前記第１態様から前記第２態様に変化する第１演出を実行する場合」がある点で、本願発明の構成Ｅ、Ｅ１と共通する。
（ｅ、ｅ２）引用発明の構成ｅ、ｅ１、ｅ２の「サブ画像表示装置３０」が、本願発明の構成Ｅ２の「前記第１装飾部材」に相当し、以下同様に、「下降位置」が、「前記第１位置」に、「上昇位置」が、「前記第２位置」に、「サブ画像表示装置３０」が「横長状態でサブ表示画面３１が前面側となる状態」が、「前記第１態様」に、「縦姿勢にあるサブ画像表示装置３０の表裏が反転」して「サブ表示画面３１の裏面側に設けられている役物演出部５０が前面側となる」状態が、「前記第３態様」に、それぞれ相当することは、上記（ｃ）にて説示したとおりであるから、引用発明の構成ｅ、ｅ１、ｅ２において、「下降位置に位置して」いた「横長状態でサブ表示画面３１が前面側となる状態のサブ画像表示装置３０を上昇させ、上昇位置においてサブ画像表示装置３０を９０度回転させて、サブ画像表示装置３０が縦姿勢」「となるように可動し、次に、縦姿勢にあるサブ画像表示装置３０の表裏が反転するように１８０度回転させて、サブ表示画面３１の裏面側に設けられている役物演出部５０が前面側となるように可動」すること（以下、「構成ア」とする。）は、本願発明の構成Ｅ２の「前記第１装飾部材が前記第１位置から前記第２位置へ移動すると共に前記第１態様から前記第３態様に変化する」「第２演出を実行する」ことに相当する。
　ここで、引用発明の構成ｅ、ｅ１、ｅ２において、「下降位置に位置して」いた「横長状態でサブ表示画面３１が前面側となる状態のサブ画像表示装置３０を上昇させ、上昇位置においてサブ画像表示装置３０を９０度回転させて、サブ画像表示装置３０が縦姿勢でサブ表示画面３１が前面側となるように可動」すること（以下、「構成イ」とする。）が、本願発明の構成Ｅ２の「前記第１演出」に相当することは、上記（ｅ、ｅ１）にて説示したとおりである。
　そして、引用発明の構成ｅ、ｅ１、ｅ２における上記「構成ア」と上記「構成イ」とは、「縦姿勢にあるサブ画像表示装置３０の表裏が反転するように１８０度回転させて、サブ表示画面３１の裏面側に設けられている役物演出部５０が前面側となるように可動」する点の有無において異なるから、引用発明の構成ｅ、ｅ１、ｅ２における上記「構成ア」は、本願発明の構成Ｅ２の「前記第１演出とは異なる第２演出を実行する」ことに相当する。
　さらに、引用発明の構成ｅ、ｅ１、ｅ２の「可動部５４」が、本願発明の構成Ｅの「前記第２装飾部材」に相当し、以下同様に、「可動部５４」が「役物演出部５０の背面側に隠蔽され」た状態は、「前記第１の状態」に、「可動部５４を役物演出部５０の両側から側方に突出させ」た状態は、「前記第２の状態」に、それぞれ相当することは、上記（ｄ）にて説示したとおりであるから、引用発明の構成ｅ、ｅ１、ｅ２において、「下降位置に位置して」いた「横長状態でサブ表示画面３１が前面側となる状態のサブ画像表示装置３０を上昇させ、上昇位置においてサブ画像表示装置３０を９０度回転させて、サブ画像表示装置３０が縦姿勢」「となるように可動し、次に、縦姿勢にあるサブ画像表示装置３０の表裏が反転するように１８０度回転させて、サブ表示画面３１の裏面側に設けられている役物演出部５０が前面側となるように可動し、次に、役物演出部５０の背面側に隠蔽されていた可動部５４を役物演出部５０の両側から側方に突出させるように可動する」ことは、本願発明の構成Ｅ、Ｅ２の「複数の前記第２装飾部材は、」「前記第１装飾部材が前記第１位置から前記第２位置へ移動すると共に前記第１態様から前記第３態様に変化する前記第１演出とは異なる第２演出を実行する場合には、前記第１の状態から前記第２の状態に変位可能に構成されている」ことに相当する。
　してみると、引用発明の構成ｅ、ｅ１、ｅ２は、本願発明の構成Ｅ、Ｅ２に相当する構成を具備している。
（ｆ）引用発明の構成ｆの「パチンコ遊技機」は、本願発明の構成Ｆの「遊技機」に相当する。 
　してみると、引用発明の構成ｆは、本願発明の構成Ｆに相当するものである。
　上記（ａ）〜（ｆ）によれば、本願発明と引用発明とは、
 「Ａ　始動条件の成立により判定を行うとともに図柄の変動を行い、所定の図柄の組み合わせが表示された場合に遊技利益を付与する遊技機において、
Ｂ　画像を表示する表示画面を有する表示装置と、
Ｃ　第１位置と、前記表示画面に沿った第２位置と、に移動可能であると共に、第１態様、前記第１態様とは視認態様が異なる第２態様、および前記第１態様と前記第２態様とは視認態様が異なる第３態様となるように変化可能な第１装飾部材と、
Ｄ　一つの前記第１装飾部材に対して第１の状態から前記第１の状態と異なる第２の状態となるように変位可能に設けられる複数の第２装飾部材と、を備え、
Ｄ１　前記第１の状態は、
　前記第１位置において複数の前記第２装飾部材より前に前記第１装飾部材が配置されることにより、前記第２装飾部材が露出するのを抑制した視認状態であり、
Ｄ２　前記第２の状態は、
　前記第２位置において複数の前記第２装飾部材が移動することにより、前記第１装飾部材から前記第２装飾部材が露出した視認状態であり、
Ｅ１’　前記第１装飾部材が前記第１位置から前記第２位置へ移動すると共に前記第１態様から前記第２態様に変化する第１演出を実行する場合があり、
Ｅ　前記第２装飾部材は、
Ｅ２　前記第１装飾部材が前記第１位置から前記第２位置へ移動すると共に前記第１態様から前記第３態様に変化する前記第１演出とは異なる第２演出を実行する場合には、前記第１の状態から前記第２の状態に変位可能に構成されていることを特徴とする
Ｆ　遊技機。」の点で一致し、次の点で相違する。 
 　 
［相違点］（構成Ｅ、Ｅ１） 
　「前記第１装飾部材が前記第１位置から前記第２位置へ移動すると共に前記第１態様から前記第２態様に変化する第１演出を実行する場合」において、本願発明では、「複数の前記第２装飾部材は、」「前記第１の状態から前記第２の状態に変位しないように構成されて」いるのに対し、引用発明は、複数の第２装飾部材が第１の状態から第２の状態に変位しないように構成しているか否か明らかではない点。
第６　判断
１　相違点について
　上記相違点について検討する。
　引用文献１の【０１２７】には、「特に、本実施形態の遊技機１では、第１の演出用可動装置Ａの一面（前面）にサブ画像表示装置３０のサブ表示画面３１を設けると共に、他面（背面）に可動部５４を有する役物演出部５０を設け、通常時は、第１の演出用可動装置Ａをサブ画像表示装置３０として利用するようにしている。そして、第１の演出用可動装置Ａを可動させる際には、視認不能な態様にある役物演出部５０を視認可能な態様に可動させると共に役物演出部５０の背面側に隠蔽されていた可動部５４を可動させるようにしているので、第１の演出用可動装置Ａを可動したときの意外性が大きいため、遊技者に対して、さらにインパクトのある遊技演出を提供することができる。」と記載されている。
　上記記載より、引用発明は、通常時は視認不能な役物演出部５０を前面に向けて視認可能な態様とするとともに、役物演出部５０の背面側に隠蔽されていた可動部５４を突出位置へと可動させることで、遊技者にとってインパクトのある遊技演出を提供しようとするものであると解される。
　してみると、引用発明において、可動部５４を突出位置へと可動させた際に遊技者に与えるインパクトを大きなものとするために、サブ表示画面３１が前面を向いて役物演出部５０が視認不能な状態では、可動部５４が突出位置へと可動しないように、すなわち、第１装飾部材（「サブ画像表示装置３０」）が第１位置（「下降位置」）から第２位置（「上昇位置」）へ移動すると共に第１態様（「サブ画像表示装置３０」が「横長状態」で「サブ表示画面３１」を「前面側に」「して遊技者に視認させる」状態）から第２態様（「サブ画像表示装置３０」が「縦姿勢」で「サブ表示画面３１」を「前面側に」「して遊技者に視認させる」状態）に変化する第１演出を実行する場合には、第２装飾部材（「可動部５４」）は、第１の状態（「役物演出部５０の背面側に隠蔽され」た状態）から第２の状態（「役物演出部５０の両側から側方に突出させ」た状態）に変位しないようにして、上記相違点に係る本願発明の構成とすることは、当業者が容易になし得たことである。 
　したがって、本願発明は、引用発明に基づいて当業者が容易に発明をすることができたものである。
２　効果について
　本願発明により奏される効果は、当業者が、引用発明から予測し得る範囲内のものにすぎず、格別顕著なものということはできない。
３　請求人の主張について
　請求人は、令和１年８月２３日付け意見書における「３．拒絶理由が解消された根拠」の「（１）理由１について」の「（１−２）新請求項と引用文献との対比」において、次のとおり主張する。
　「（１−２）新請求項と引用文献との対比
　本願の新請求項１に係る発明である遊技機では、第２装飾部材は、第１装飾部材が第１位置から第２位置へ移動すると共に第１態様から第２態様に変化する第１演出を実行する場合には、第１の状態から第２の状態に変位しないように構成されており、第１装飾部材が第１位置から第２位置へ移動すると共に第１態様から第３態様に変化する第１演出とは異なる第２演出を実行する場合には、第１の状態から第２の状態に変位可能に構成されていることを要旨とします。
　（中略）
　このような遊技機であれば、第１装飾部材での２つの位置間の移動と視認態様の変化との組合せのみからなる第１演出と、第１装飾部材での２つの位置間の移動と第１演出とは異なる視認態様の変化との組合せからなる第２演出にさらに第２装飾部材での視認状態の変化が組合さった演出と、を実行することができます。これらのような演出のうちのいずれかの演出が実行されるような構成であると、これらの演出は共に第１装飾部材の同様の移動を伴うため、遊技者にとっては第１装飾部材の移動のみではどちらの演出が実行されるかを判別することが難しいものとすることができます。したがって、このような遊技機であれば、演出が実行され始めると、第１演出に比べて大当たりに対する期待度を高めさせるような第２装飾部材の視認状態の変化を伴う第２演出が実行されることに対する遊技者の期待感を向上させることができます。また、第２演出が実行されると、第１装飾部材の移動と視認態様の変化に、第２装飾部材の視認状態の変化が加わるような演出であるため、大きな驚きや興奮を遊技者に与えることもできます。
　これに対して、引用文献１には、上述のような本願の新請求項１に係る発明の要旨について、以下に説明するように開示も示唆もされておりません。引用文献１には、審判官殿がご指摘された通り、サブ画像表示装置３０が、下降位置から上昇位置へ移動すると共にサブ画像表示画面３１が水平な姿勢である態様から１８０度回転して役物演出部５０を視認可能にした態様に変化する場合には、２個の可動部５４が視認可能な状態となるような演出が可能である遊技機が記載されています。しかしながら、引用文献１におけるサブ画像表示装置３０は、下降位置から上昇位置へ移動すると共にサブ画像表示画面３１が水平な姿勢である態様からサブ画像表示画面３１が縦長の姿勢である態様に変化するような本願の新請求項１に係る発明における第１演出に相当する演出が可能であることは開示も示唆もありません。特に、引用文献１の［０１２１］、［０１２２］の記載に基づくと、サブ画像表示装置３０は、サブ画像表示画面３１が水平な姿勢である態様からサブ画像表示画面３１が縦長の姿勢である態様を経て１８０度回転して役物演出部５０を視認可能にした態様となるように連続して態様が変化するような演出を実行するものであり、サブ画像表示画面３１が縦長の姿勢である態様で変化が止まるような演出を実行するものではありません。つまり、引用文献１においては、サブ画像表示装置３０においてサブ画像表示画面３１が縦長の姿勢である態様で演出をすることについて開示も示唆されていないので、この態様のサブ画像表示装置３０で２個の可動部５４が視認可能な状態とならないような構成であることについても開示および示唆されておりません。したがって、引用文献１には、本願の新請求項１における第１装飾部材が第１演出を実行する場合には第２装飾部材が変位しないように構成されており、第１装飾部材が第２演出を実行する場合には、第２装飾部材が変位可能に構成されている、といった特徴については開示も示唆もないこととなります。」
　そこで、請求人の上記主張について検討する。 
　請求人は上記主張において、本願発明の構成及び効果について、「このような遊技機であれば、第１装飾部材での２つの位置間の移動と視認態様の変化との組合せのみからなる第１演出と、第１装飾部材での２つの位置間の移動と第１演出とは異なる視認態様の変化との組合せからなる第２演出にさらに第２装飾部材での視認状態の変化が組合さった演出と、を実行することができます。
これらのような演出のうちのいずれかの演出が実行されるような構成であると、
　しかしながら、本願の請求項１においては、「前記第１装飾部材が前記第１位置から前記第２位置へ移動すると共に前記第１態様から前記第２態様に変化する第１演出」及び「前記第１装飾部材が前記第１位置から前記第２位置へ移動すると共に前記第１態様から前記第３態様に変化する前記第１演出とは異なる第２演出」と特定されているのみであって、上記「第１演出」と上記「第２演出」とのうちのいずれかの演出が実行される構成であることは特定されていないから、請求人の上記主張は、特許請求の範囲の記載に基づいたものではない。
　また、請求人は上記主張において、引用発明の構成について、「
引用文献１におけるサブ画像表示装置３０は、
本願の新請求項１に係る発明における第１演出に相当する演出が可能であることは開示も示唆もありません。
サブ画像表示画面３１が縦長の姿勢である態様で変化が止まるような演出を実行するものではありません。
　しかしながら、本願の請求項１においては、「前記第１装飾部材が前記第１位置から前記第２位置へ移動すると共に前記第１態様から前記第２態様に変化する第１演出」と特定されているのみであって、当該「第１演出」が、「第２態様」で変化が止まるような演出であることは特定されていないから、請求人の上記主張もまた、特許請求の範囲の記載に基づいたものではない。
　そして、引用発明においても、「前記第１装飾部材が前記第１位置から前記第２位置へ移動すると共に前記第１態様から前記第２態様に変化する第１演出を実行する場合」があることは、上記「第５　対比」の（ｅ、ｅ１）にて説示したとおりであり、そのような場合に、第２装飾部材が、第１の状態から第２の状態に変位しないようにすることは、上記「１　相違点について」にて説示したとおり、当業者が容易になし得たことである。
　したがって、請求人の上記主張を採用することはできない。 
　なお、仮に、請求人が主張するように、本願の請求項１の記載を、「第１演出」と「第２演出」とのうちのいずれかの演出が選択的に実行され、「第１演出」は「第２態様」で変化が止まるような演出であると限定的に解釈したとしても、遊技機の技術分野において、複数段階に動作可能な可動装飾部材を設け、可動装飾部材を異なる段階まで動作させる複数種類の演出が、大当り期待度に応じて選択的に実行されるように構成することは、例えば以下の周知例１及び２に記載されているように、本願出願前において周知の技術事項である。 
（１）周知例１：特開２００９−２４７７４１号公報（特に、【０３３８】の「・・・第２ステップアップ予告演出は、４つの予告演出（予告演出Ｗ、予告演出Ｘ、予告演出Ｙ、予告演出Ｚ）で構成されている。・・・予告演出Ｗとして、第２の可動部材８８が第１の範囲で動作する演出が行われる。」との記載、【０３３９】の「・・・予告演出Ｘとして、第２の可動部材８８が第２の範囲で動作する演出が行われる。」との記載、【０３４０】の「・・・予告演出Ｙとして、第２の可動部材８８が第３の範囲で動作する演出が行われる。」との記載、【０３４１】の「・・・予告演出Ｚとして、第２の可動部材８８が第３の範囲で動作する演出が行われる。」との記載、【０３４８】の「・・・ステップアップ予告演出とは、予め定められた順番に従って１段階から複数段階まで演出の態様を段階的に変化させる予告演出を実行可能で、特定表示結果（大当り）とする場合は該特定表示結果としない場合よりも多い段階まで演出の態様を段階的に変化させる予告演出を実行する割合が高い演出のことをいう。」との記載、【０３５４】の「・・・非リーチはずれ用の第２予告設定テーブルでは、予告演出「なし」と、予告演出Ｗのみ実行される演出態様（「Ｗ」の発展パターン）と、予告演出Ｗが実行されてから予告演出Ｘが実行される演出態様（「Ｗ→Ｘ」の発展パターン）と、予告演出Ｗが実行されてから予告演出Ｘが実行され、その後に予告演出Ｙが実行される演出態様（「Ｗ→Ｘ→Ｙ」の発展パターン）と、予告演出Ｗが実行されてから予告演出Ｘ、予告演出Ｙ、予告演出Ｚが順に実行される演出態様（「Ｗ→Ｘ→Ｙ→Ｚ」の発展パターン）とが設定されている。そして、各演出態様に対して所定数の判定値がそれぞれ割り振られている。」との記載を参照。）
（２）周知例２：特開２０１１−１６０９８０号公報（特に、【０１３９】の「そして、センター飾り（役物）２２の動作として、第１演出用可動体６２が回動して第２演出用可動体６３と第１演出用可動体６２とが下降する第１動作パターンと、第１演出用可動体６２が回動するのみの第２動作パターンとが選択的に実行されるようにしてもよい。その場合に、第１動作パターンは、第２動作パターンに比べて大当りが発生するときに実行される割合が高くなるように動作制御される。」との記載を参照。）
　そして、引用発明に上記周知の技術事項を適用して、「前記第１装飾部材が前記第１位置から前記第２位置へ移動すると共に前記第１態様から前記第２態様に変化」し、「第２態様」で変化が止まる「第１演出」と、「前記第１装飾部材が前記第１位置から前記第２位置へ移動すると共に前記第１態様から前記第３態様に変化する前記第１演出とは異なる第２演出」とが、選択的に実行されるように構成することは、当業者が容易に想到し得たことである。
　よって、本願の請求項１の記載を、請求人が主張するような意味に解釈したとしても、請求人の上記主張を採用することができないことに変わりはない。
第７　むすび
　以上のとおり、本願発明は、引用発明に基づいて、その出願前にその発明の属する技術の分野における通常の知識を有する者が容易に発明をすることができたものであるから、特許法第２９条第２項の規定により特許を受けることができないものである。
　したがって、本願は拒絶されるべきものである。
　よって、結論のとおり審決する。